(57)【要約】【課題】簡単に害獣を止め刺すことができる止め刺し器および止め刺し方法を提供する。【解決手段】止め刺し器１は、絶縁性材料で形成された棒状の絶縁棒２と、絶縁棒２の一端に配置された、電圧が印加されたときに陽極となるプラス電極部３と、プラス電極部３と電気的に接続された、かつ、プラス電極部３に１パルス当たりの放電エネルギー５Ｊ、電圧値３０ｋＶ、周波数１０Ｈｚのパルス状電圧を印加可能なパルス状電圧印加回路４と、パルス状電圧印加回路４と電気的に接続された、電圧が印加されたときに陰極となるマイナス電極部５を備える。止め刺し作業者は、クリップ形状を有するマイナス電極部５で檻９の金属棒９Ａを挟持してマイナス電極部５を接地し、スイッチ８を押してパルス状電圧印加回路４をオンに切り替え、プラス電極部３にパルス状電圧を印加し、イノシシ１０にプラス電極部３を接触させる。【選択図】図１
2016019501.tif 000002
【特許請求の範囲】
【請求項１】
絶縁性材料で形成された、かつ棒状である棒状部材と、
該棒状部材の一端に配置された、かつ、電圧が印加されたときに陽極となるプラス電極部と、
該プラス電極部と電気的に接続された、かつ、同プラス電極部に電圧値１０〜４０ｋＶ、周波数１〜５０Ｈｚおよび１パルス当たりの放電エネルギー１〜１０Ｊを有するパルス状電圧を印加可能なパルス状電圧印加回路と、
該パルス状電圧印加回路と電気的に接続された、かつ、電圧が印加されたときに陰極となるマイナス電極部とを備える
止め刺し器。
【請求項２】
前記プラス電極部は、針金状である
請求項１に記載の止め刺し器。
【請求項３】
前記マイナス電極部は、導電性材料で形成された導電性部材を挟持可能な形状を有する
請求項１または請求項２に記載の止め刺し器。
【請求項４】
電圧が印加されたときに陽極となるプラス電極部を害獣に接触させる工程と、
前記プラス電極部に、電圧値１０〜４０ｋＶ、周波数１〜５０Ｈｚおよび１パルス当たりの放電エネルギー１〜１０Ｊを有するパルス状電圧を印加する工程と、
前記プラス電極部に前記パルス状電圧を印加可能なパルス状電圧印加回路と電気的に接続された、かつ、電圧が印加されたときに陰極となるマイナス電極部を接地する工程とを備える
止め刺し方法。
【発明の詳細な説明】
【技術分野】
【０００１】
本発明は止め刺し器および止め刺し方法に関する。詳しくは、例えば捕獲したイノシシを止め刺すための、止め刺し器および止め刺し方法に係るものである。
【背景技術】
【０００２】
山間の農業地域では、イノシシや鹿などの害獣が田畑へ侵入して、農作物を食い荒らしてしまう食害が多発している。
そこで、害獣の田畑への侵入を防止するために、田畑の周囲に防護柵が設置されている。
【０００３】
防護柵としては、フェンスや電気柵が用いられており、田畑への害獣侵入を防止する上で一定の成果を上げている。
しかし、防護柵に侵入を阻まれた害獣は、他の田畑へ侵入し食害を与える。従って、その田畑の周囲にも防護柵の設置が必要となる。
【０００４】
すなわち、防護柵の設置は、一時凌ぎの食害防止策であることは否めない。
そこで近年、害獣の捕獲が勧められている。
【０００５】
また、捕獲方法としては、箱罠を用いて捕獲する方法が多い。そして、様々な箱罠が提案されている。
例えば、特許文献１には、図３に示すような檻が記載されている。
すなわち、特許文献１に記載された檻１００は、側柵（１０１、１０２、１０３）と、天井柵１０４と、入り口柵１０５と、底柵１０６とが互いに接続されて組み立てられている。また、入り口柵１０５は、上下に可動する。
また、檻１００の内部の底面すなわち底柵１０６の上面には、網の周囲を固定した可動枠１０７が載置されている。
【０００６】
また、複数本の鋼材が縦横に組み合わされて構成された引き上げ枠１１０が、檻１００の天井柵１０４の上面に載置されている。
また、引き上げ枠１１０の中央近傍には、上方に伸びた引き上げ索１１３の一端が接続されており、引き上げ枠１１０の四隅近傍には、下方に伸びた接続部１０８の一端が接続されている。
また、接続部１０８の他端は可動枠１０７に接続されている。
【０００７】
また、天井柵１０４の上方には、２本のブリッジ支柱１１１と、ブリッジ支柱１１１の上端に架設されたブリッジバー１１４とで構成されたブリッジ部が配置されている。
また、ブリッジバー１１４の略中央には巻き上げ機１１２の本体が取付けられており、巻き上げ機１１２の本体に、引き上げ索１１３の他端が接続されている。
【０００８】
また、巻き上げ機１１２により、引き上げ枠１１０を引き上げ、それにともない接続部１０８を介して可動枠１０７および網を天井柵１０４に向かって上昇させる。
【０００９】
エサで檻の内部に誘い込まれた害獣は、可動枠１０７の網の上に立った状態となり、その状態で巻き上げ機１１２を操作して可動枠１０７および網を天井柵１０４に向かって上昇させる。
すると、害獣の四肢が可動枠１０７に張られた網目の中に入り込み、引き上げを続行することで害獣の腹部を包み込む状態で害獣を宙吊り状態にして、その動きを拘束する。
【先行技術文献】
【特許文献】
【００１０】
【特許文献１】実用新案登録第３１９００８１号公報
【発明の概要】
【発明が解決しようとする課題】
【００１１】
一般的に、捕獲された害獣は止め刺され、すなわち屠殺され、食用の肉に加工される。しかし、作業者が刃物で害獣を止め刺そうとするとき害獣は大暴れするので、止め刺し作業は容易ではない。
【００１２】
特許文献１に記載の檻によって害獣は宙吊りにされるが、宙吊りになっているだけで依然として害獣は元気であり、作業者が刃物を害獣に刺し込んで止め刺そうとするときに体を激しく動かして抵抗するおそれがある。
【００１３】
また、単に檻に入れられただけの害獣よりは、宙吊りにすることで動きも抑えられて止め刺しやすくなってはいるが、気が弱い作業者などにとっては、依然として止め刺し難いと言える。
従って、このような場合でも、簡単に害獣を止め刺すことができる止め刺し器や止め刺し方法が求められていた。
【００１４】
本発明は、以上の点に鑑みて創案されたものであり、簡単に害獣を止め刺すことができる止め刺し器および止め刺し方法を提供することを目的とする。
【課題を解決するための手段】
【００１５】
上記の目的を達成するために、本発明の止め刺し器は、絶縁性材料で形成された、かつ棒状である棒状部材と、該棒状部材の一端に配置された、かつ、電圧が印加されたときに陽極となるプラス電極部と、該プラス電極部と電気的に接続された、かつ、同プラス電極部に電圧値１０〜４０ｋＶ、周波数１〜５０Ｈｚおよび１パルス当たりの放電エネルギー１〜１０Ｊを有するパルス状電圧を印加可能なパルス状電圧印加回路と、該パルス状電圧印加回路と電気的に接続された、かつ、電圧が印加されたときに陰極となるマイナス電極部とを備える。
【００１６】
ここで、絶縁性材料で形成された、かつ棒状である棒状部材と、棒状部材の一端に配置された、かつ、電圧が印加されたときに陽極となるプラス電極部とによって、止め刺し作業者は、棒状部材を持って、害獣と距離を置きながらプラス電極部を害獣に接触させることができる。
【００１７】
また、プラス電極部と電気的に接続された、かつ、プラス電極部に電圧値１０〜４０ｋＶ、周波数１〜５０Ｈｚおよび１パルス当たりの放電エネルギー１〜１０Ｊを有するパルス状電圧を印加可能なパルス状電圧印加回路によって、プラス電極部を害獣の体に接触させるだけで害獣に衝撃を与え、害獣を気絶または死に至らしめることができる。
【００１８】
また、パルス状電圧印加回路と電気的に接続された、かつ、電圧が印加されたときに陰極となるマイナス電極部によって、止め刺し作業者は、マイナス電極部を接地するだけで、地面に接している害獣をマイナス電極部に接触していることにすることができる。
【００１９】
また、本発明の止め刺し器において、プラス電極部が針金状である場合、害獣にプラス電極部を接触させやすい。
【００２０】
また、本発明の止め刺し器において、マイナス電極部が、導電性材料で形成された導電性部材を挟持可能な形状を有する場合、マイナス電極部を接地しやすい。
【００２１】
また、上記の目的を達成するために、本発明の止め刺し方法は、電圧が印加されたときに陽極となるプラス電極部を害獣に接触させる工程と、前記プラス電極部に、電圧値１０〜４０ｋＶ、周波数１〜５０Ｈｚおよび１パルス当たりの放電エネルギー１〜１０Ｊを有するパルス状電圧を印加する工程と、前記プラス電極部に前記パルス状電圧を印加可能なパルス状電圧印加回路と電気的に接続された、かつ、電圧が印加されたときに陰極となるマイナス電極部を接地する工程とを備える。
【００２２】
ここで、電圧が印加されたときに陽極となるプラス電極部を害獣に接触させる工程と、プラス電極部に、電圧値１０〜４０ｋＶ、周波数１〜５０Ｈｚおよび１パルス当たりの放電エネルギー１〜１０Ｊを有するパルス状電圧を印加する工程とによって、害獣に衝撃を与え、害獣を気絶または死に至らしめることができる。
【００２３】
また、プラス電極部にパルス状電圧を印加可能なパルス状電圧印加回路と電気的に接続された、かつ、電圧が印加されたときに陰極となるマイナス電極部を接地する工程によって、地面に接している害獣をマイナス電極部に接触していることにすることができる。
【発明の効果】
【００２４】
本発明に係る止め刺し器は、簡単に害獣を止め刺すことができる。
本発明に係る止め刺し方法は、簡単に害獣を止め刺すことができる。
【図面の簡単な説明】
【００２５】
【図１】本発明を適用した止め刺し器を用いて、檻に入れられたイノシシを止め刺す様子の一例を示す概略図である。
【図２】本発明を適用した止め刺し器を用いて、くくり式罠で捕獲されたイノシシを止め刺す様子の一例を示す概略図である。
【図３】従来の害獣捕獲用の檻を示す概略図である。
【発明を実施するための形態】
【００２６】
以下、本発明の実施の形態について図面を参照しながら説明し、本発明の理解に供する。
図１は、本発明を適用した止め刺し器を用いて、檻に入れられたイノシシを止め刺す様子の一例を示す概略図である。
【００２７】
図１に示す本発明の止め刺し器１は、樹脂またはゴムなどの絶縁性材料で形成された、かつ棒状である絶縁棒２を備える。ここで、絶縁棒は棒状部材の一例である。
【００２８】
また、本発明の止め刺し器１は、絶縁棒２の一端に配置された、かつ、電圧が印加されたときに陽極となるプラス電極部３を備える。また、プラス電極部３は針金状の金属である。
【００２９】
さらに、本発明の止め刺し器１は、プラス電極部３と電気的に接続された、かつ、プラス電極部３に電圧値１０〜４０ｋＶ、周波数１〜５０Ｈｚおよび１パルス当たりの放電エネルギー１〜１０Ｊを有するパルス状電圧を印加可能なパルス状電圧印加回路４を備える。
【００３０】
すなわち、プラス電極部３が配置された一端とは反対側である、絶縁棒２の他端側にパルス状電圧印加回路４が位置しており、絶縁棒２を長手方向に貫通して配置された、図示していない導電線を介して、プラス電極部３とパルス状電圧印加回路４とが電気的に接続されている。
【００３１】
または、パルス状電圧印加回路４の出力端子に直接、針金状のプラス電極部３を電気的に接続し、プラス電極部３の先端部分のみを残して、プラス電極部３の他の大部分をゴムなどの絶縁性材料で覆い、棒状の部材とすることもできる。
【００３２】
また、パルス状電圧の電圧値は、好ましくは１０〜３０ｋＶである。
また、パルス状電圧の周波数は、好ましくは１〜２０Ｈｚ、さらに好ましくは５〜２０Ｈｚ、最も好ましくは５〜１０Ｈｚである。
また、パルス状電圧の１パルス当たりの放電エネルギーは、好ましくは５〜１０Ｊである。
【００３３】
このような電圧値、周波数および放電エネルギーを有する、本発明の止め刺し器のパルス状電圧は、電気柵の柵線に印加される電圧に比べて放電エネルギーが高い。
この理由は、本発明の止め刺し器が害獣の気絶または死を目的としていることと、プラス電極部を害獣に接触させるときにパルス状電圧が印加されていればよいのに対して、電気柵は害獣を退散させることが目的であり、しかも長時間連続して電圧を柵線に印加していなければならないからである。
【００３４】
また、パルス状電圧の電圧値が１０〜４０ｋＶであるので、害獣に与える衝撃が強いうえに、プラス電極部を接触させる時間を短くすることができ、しかも止め刺し器が取り扱い難くならずに済む。
【００３５】
また、パルス状電圧の周波数が１〜５０Ｈｚであるので、害獣に与える衝撃が強いうえに、プラス電極部を接触させる時間を短くすることができ、しかも止め刺し器の価格も抑えることができる。
【００３６】
また、パルス状電圧印加回路４の構成は、パルス状の電圧を発生させてプラス電極部３に印加できる構成であればどのような構成であってもよく、例えば衝撃電圧発生回路やトリガ信号発生回路を有することができる。
【００３７】
また、パルス状電圧印加回路４には、蓄電池７が電気的に接続されている。パルス状電圧印加回路４に蓄電池７が電気的に接続されているので、蓄電池７に充電して本発明の止め刺し器１を、止め刺しを行なう現場などへ持ち運んで使用することができる。
また、図示していないが、パルス状電圧印加回路４と蓄電池７は、同じ１つの箱状の器体内に収められている。
【００３８】
また、本発明の止め刺し器１は、パルス状電圧印加回路４と電気的に接続された、かつ、電圧が印加されたときに陰極となるマイナス電極部５を備える。
また、マイナス電極部５は、表面が樹脂またはゴムなどの絶縁性材料で覆われた導電線６を介して、パルス状電圧印加回路４に電気的に接続されている。
【００３９】
また、マイナス電極部５は、金属棒を挟持可能な形状を有する。マイナス電極部５は、具体的には例えばクリップ形状を有する。
また、金属棒は、導電性材料で形成された導電性部材の一例である。
【００４０】
また、本発明の止め刺し器１は、パルス状電圧印加回路４に電気的に接続された、かつ、パルス状電圧印加回路４のオンおよびオフを切替え可能なスイッチ８を備える。
また、スイッチ８は、絶縁棒２の表面の略中央領域に設けられている。
【００４１】
ここで、プラス電極部は必ずしも針金状でなくてもよい。しかし、プラス電極部が針金状であれば、害獣にプラス電極部を接触させやすいので好ましい。
特にイノシシは、目の前に出された物に対して自ら接触する習性を持つので、プラス電極部を接触させやすい。
【００４２】
また、マイナス電極部は、必ずしも導電性材料で形成された導電性部材を挟持可能な形状を有していなくてもよい。
しかし、マイナス電極部が、導電性材料で形成された導電性部材を挟持可能な形状を有していれば、檻の金属棒や、地面に突き刺さった金属棒に、簡単にマイナス電極部を接続することができるので、マイナス電極部自体を地面に突き刺す必要がなく、マイナス電極部を接地しやすいので好ましい。
【００４３】
また、必ずしも蓄電池を使用しなくてもよく、乾電池や太陽電池を使用することもできる。
【００４４】
図２は、本発明を適用した止め刺し器を用いて、くくり式罠で捕獲されたイノシシを止め刺す様子の一例を示す概略図である。
【００４５】
ここで、図２に示す本発明の止め刺し器の構成は、図１に示す本発明の止め刺し器の構成と同じであるので、説明を省略する。
なお、くくり式罠で捕獲されたイノシシを止め刺す場合、本発明の止め刺し器の針金状のプラス電極部の長さは、約１ｍとすることが好ましい。
【００４６】
次に、図１および図２を参照して、本発明の止め刺し器を用いてイノシシを止め刺す方法である本発明の止め刺し方法を説明する。
イノシシは害獣の一例である。
【００４７】
すなわち、本発明の止め刺し方法は、電圧が印加されたときに陽極となるプラス電極部３をイノシシに接触させる工程と、プラス電極部３に、電圧値１０〜４０ｋＶ、周波数１〜５０Ｈｚおよび１パルス当たりの放電エネルギー１〜１０Ｊを有するパルス状電圧を印加する工程と、プラス電極部３にパルス状電圧を印加可能なパルス状電圧印加回路４と電気的に接続された、かつ、電圧が印加されたときに陰極となるマイナス電極部５を接地する工程とを備える。
【００４８】
まず、図１を参照して、本発明の止め刺し方法を説明する。
止め刺し作業者は、クリップ形状を有するマイナス電極部５で檻９の金属棒９Ａを挟持し、マイナス電極部５を接地する。
すなわち、檻９の金属棒９Ａは地面に接しているので、マイナス電極部５を檻９の金属棒９Ａに接続することで、マイナス電極部５を接地することができる。
【００４９】
檻９の中では、生きているイノシシ１０が暴れ回っている。止め刺し作業者は、一端にプラス電極部３が配置された絶縁棒２を持って、絶縁棒２を檻９内に差し込む。
イノシシ１０の足は、暴れ回っていても必ず地面または檻９の地面に接触した底部の金属棒に接触しているので、マイナス電極部５は常にイノシシ１０に接触していることになる。
【００５０】
また、止め刺し作業者は、絶縁棒２の表面の略中央領域に設けられたスイッチ８を押してパルス状電圧印加回路４をオンに切り替え、プラス電極部３に、１パルス当たりの放電エネルギー５Ｊ、電圧値３０ｋＶおよび周波数１０Ｈｚを有するパルス状電圧を印加する。
【００５１】
このとき、スイッチ８が押されている間は、プラス電極部３にパルス状電圧が印加されており、スイッチ８から指を離す、すなわちスイッチ８が押されなくなるとパルス状電圧印加回路４はオフに切り替わり、プラス電極部３にパルス状電圧は印加されなくなる。
【００５２】
止め刺し作業者は、スイッチ８を押し続けながら、プラス電極部３をイノシシ１０に近づける。
すると、イノシシ１０は、自らプラス電極部３に接触することが多いが、イノシシ１０が自らプラス電極部３に接触しようとしない場合は、止め刺し作業者がプラス電極部３をイノシシ１０に接触させる。
【００５３】
プラス電極部３を一瞬、イノシシ１０に接触させるだけで、１発目のパルス状電圧がイノシシ１０に印加される。
この１発目のパルス状電圧でイノシシ１０はひるむ。ひるんだ後、続けて約０．１秒ごとにパルス状電圧がイノシシ１０に印加される。
【００５４】
１発目のパルス状電圧によってイノシシ１０は気絶し、２発目および３発目のパルス状電圧によってイノシシ１０は死に至る。
すなわち、本発明の止め刺し器１は、プラス電極部３またはマイナス電極部５をイノシシ１０の体内に差し込むことなく、イノシシ１０を気絶または死に至らしめることができる。
【００５５】
次に、図２を参照して、本発明の止め刺し方法を説明する。
図２は、くくり式罠で捕獲されたイノシシを止め刺す様子の一例を示しているが、くくり式罠とは、檻を使用しない罠である。
【００５６】
くくり式罠は次のようにして設置される。
まず、地面に直径約３０ｃｍの穴を掘り、穴の周囲を環状ワイヤーで取り囲む。環状ワイヤーは、長手方向を有する締め付け具の一端に取付けられており、締め付け具の他端には直線状ワイヤーの一端が取付けられている。
【００５７】
また、直線状ワイヤーの他端は、立木にくくりつけられている。直線状ワイヤーの長さは約２ｍである。
穴は、外部から判らないように、枯草や土で隠されている。
【００５８】
この穴にイノシシ１０が足を踏み込むと、イノシシ１０の踏み込んだ足には環状ワイヤー２２が絡みつき、締め付け具２４でイノシシ１０の足はしっかり締め付けられる。
一端が締め付け具２４に取付けられた直線状ワイヤー２３の他端は立木２５にくくりつけられているので、イノシシ１０は立木２５に繋がれた状態となる。
【００５９】
このようにして、くくり式罠でイノシシ１０を捕獲する。
【００６０】
また、クリップ形状を有するマイナス電極部５で、地面に突き刺した金属棒２１を挟持し、マイナス電極部５を接地する。
【００６１】
止め刺し作業者は、一端に約１ｍの長さを有するプラス電極部３が配置された絶縁棒２を持って、プラス電極部３をイノシシ１０に近づける。
【００６２】
このとき、止め刺し作業者は、絶縁棒２の表面の略中央領域に設けられたスイッチ８を押してパルス状電圧印加回路４をオンに切り替え、プラス電極部３に電圧値３０ｋＶ、周波数１０Ｈｚおよび１パルス当たりの放電エネルギー５Ｊのパルス状電圧を印加する。
【００６３】
止め刺し作業者がスイッチ８を押し続けながら、プラス電極部３をイノシシ１０に近づけ、プラス電極部３をイノシシ１０に接触させる。
【００６４】
パルス状電圧が印加されたプラス電極部３をイノシシ１０に接触させると、パルス状電圧がイノシシ１０に印加され、イノシシ１０は死に至る。
【００６５】
くくり式罠で捕獲されたイノシシは、檻に入れられたイノシシ以上に動き回るが、本発明の止め刺し器および本発明の止め刺し方法は、パルス状電圧が印加されたプラス電極部をイノシシに接触させるだけで死に至らしめるので、効果をより発揮できる。
【００６６】
また、害獣としてイノシシを例に挙げて説明したが、例えば捕獲した猿を止め刺す場合にも、本発明の止め刺し器や本発明の止め刺し方法は効果を発揮する。
【００６７】
以上のように、本発明の止め刺し器は、絶縁性材料で形成された、かつ棒状である棒状部材と、棒状部材の一端に配置された、かつ、電圧が印加されたときに陽極となるプラス電極部を備えているので、止め刺し作業者は、棒状部材を持って、害獣と距離を置きながらプラス電極部を害獣に接触させることができる。
【００６８】
また、本発明の止め刺し器は、プラス電極部と電気的に接続された、かつ、プラス電極部に電圧値１０〜４０ｋＶ、周波数１〜５０Ｈｚおよび１パルス当たりの放電エネルギー１〜１０Ｊを有するパルス状電圧を印加可能なパルス状電圧印加回路を備えているので、プラス電極部を害獣の体に接触させるだけで害獣に衝撃を与え、害獣を気絶または死に至らしめることができる。
【００６９】
また、本発明の止め刺し器は、パルス状電圧印加回路と電気的に接続された、かつ、電圧が印加されたときに陰極となるマイナス電極部を備えているので、止め刺し作業者は、マイナス電極部を接地するだけで、地面に接している害獣をマイナス電極部に接触していることにすることができる。
【００７０】
従って、本発明の止め刺し器は、プラス電極部とマイナス電極部のうちプラス電極部のみを害獣に接触させればよいので、簡単に害獣を止め刺すことができる。
また、このような本発明の止め刺し器を用いて害獣を止め刺す方法である本発明の止め刺し方法も、簡単に害獣を止め刺すことができる。
【００７１】
また、本発明の止め刺し器は、害獣を止め刺す時に短時間だけ作動できればよいので、大掛かりな電源を要しない。
よって、本発明の止め刺し器は、屋外のどこにでも持って行くことができ、その場で止め刺し作業を行うことができる。
【００７２】
また、刃物で害獣を止め刺す場合は、慣れた専門家でなくては困難であるが、本発明の止め刺し器は、専門的な熟練を要せず、すぐに使用することができる。
また、本発明の止め刺し器は、電気による衝撃を害獣に与えて気絶または死に至らしめるので、害獣を出血させることなく搬送できる。
【符号の説明】
【００７３】
１    止め刺し器
２    絶縁棒
３    プラス電極部
４    パルス状電圧印加回路
５    マイナス電極部
６    導電線
７    蓄電池
８    スイッチ
９    檻
９Ａ  金属棒
１０    イノシシ
２１    金属棒
２２    環状ワイヤー
２３    直線状ワイヤー
２４    締め付け具
２５    立木
【図１】
2016019501.tif 000003
【図２】
2016019501.tif 000004
【図３】
2016019501.tif 000005